(57)【要約】【課題】  表紙用紙片の板紙の貼付けや見返しの貼付けなどの各工程における糊付け作業および板紙を貼付ける際の板紙の位置あわせ調整作業を低減する製本方法を提供すること。  【解決手段】  両面にホットメルト接着剤を塗着した板紙１〜３に表紙用紙片４を、接着剤を加熱溶融して貼り付けて表紙を作成し、この表紙で、二つ折りした片側片面に粘着剤を塗着して剥離紙１０を貼付けた見返し用紙７を重ね、背面を裏打ち紙８を貼付けて綴じた本身５を包み、ニッパでイチョウ溝１４を形成した後、見返し用紙７に付いている剥離紙１０を剥離して、粘着剤が付いている見返し用紙７の片面を、表面の板紙１および裏面の板紙３に仮付けし、表紙を閉じ、加熱プレスして板紙１および板紙３のホットメルト接着剤を溶かして見返し用紙７と裏打ち紙８を貼付ける。【選択図】    図３
2005096098.tif 000002
【特許請求の範囲】
【請求項１】
両面にホットメルト接着剤を塗着した本身の表面、背面および裏面にあてがう板紙を並べ、並べた板紙の片面に表紙用紙片を位置決めし、板紙の片面のホットメルト接着剤を溶かして貼付けて表紙を作成する表紙作成工程と、二つ折りした見返し用紙を本身の両側の外面に折り部を本身の背面側に合わせて重ね、その背面にホットメルト接着剤を塗付けて、その背面をくるむ裏打ち紙を貼付ける本身成形工程と、前記本身成形工程で成形した本身に前記表紙作成工程で作成した表紙を合わせてイチョウ付けし、そのあと前記見返し用紙の外側の片面を前記表面および裏面の板紙に、前記表面および裏面の板紙のホットメルト接着剤を溶かして貼付ける表紙貼付け工程からなることを特徴とする製本方法。
【請求項２】
前記二つ折りした見返し用紙は、片側片面に粘着剤を塗着しその上面に剥離紙を貼付けた用紙    からなり、剥離紙を貼付けた面を外側にして本身の両側の外面に折り部を本身の背面に合わせて重ねて綴じ、表面および裏面の板紙に貼付ける際、前記表面および裏面の板紙に、前記剥離紙を剥離して仮付けしてなることを特徴とする請求項１に記載の製本方法。
【請求項３】
前記裏打ち紙は片面にホットメルト接着剤を塗着した裏打ち紙であって、前記本身成形工程に、裏打ち紙を貼付けた本身の背面に前記ホットメルト接着剤を溶かして花布付背貼り紙を貼付ける工程を備えてなることを特徴とする請求項１叉は請求項２に記載の製本方法。
【発明の詳細な説明】
【技術分野】
【０００１】
本発明は、原稿、画稿、印刷物、白紙などの本身を硬い表紙で包んだ製本物を作成する製本方法に関する。
【背景技術】
【０００２】
原稿、画稿、印刷物、白紙などの本身を硬い表紙で包んだ冊子や書籍などの製本物がある。このような製本物を作成する製本方法のひとつとして、表紙用紙片の本身の表面にあてがう表面に芯ボール紙を貼付け、背面にあてがう部分に背ボール紙を貼付け、裏面にあてがう部分に芯ボール紙を貼付け、本身の表面にあてがう部分に貼付けた芯ボール紙の表面と裏面にあてがう部分に貼付けた芯ボール紙の表面に１枚の見返しを貼付けて表紙を作成し、この表紙の見返しの背面に当たる部分を本身の背面に貼付けて製本する製本方法が知られている。
【特許文献１】特開平７−１１６３２９号公報
【０００３】
しかし、上記のような製本、さらに寒冷紗（のどぎれ）を貼付ける工程を備える上製本では、芯ボール紙（以下、板紙という。）、見返し、寒冷紗などを貼付ける各工程における糊付けのための多くの糊を用意しなければならず、その準備や使用後の掃除に多くの時間が掛かるといった問題がある。また、表紙用紙片に板紙を貼付ける際、表紙用紙片の本身の表面にあてがう部分、背面にあてがう部分および裏面にあてがう部分一面に逐次膠をローラあるいは刷毛などによって塗り、板紙の位置あわせを行って貼付けなければならず、その作業が面倒であるといった問題がある。
【発明の開示】
【発明が解決しようとする課題】
【０００４】
本発明が解決しようとする課題は、表紙用紙片の板紙の貼付けや見返しの貼付けなどの各工程における糊付け作業および板紙を貼付ける際の板紙の位置あわせ調整作業を低減し、斯かる問題を解消する点である。
【課題を解決するための手段】
【０００５】
本発明に係る製本方法は、両面にホットメルト接着剤を塗着した本身の表面、背面および裏面にあてがう板紙を並べ、並べた板紙の片面に表紙用紙片を位置決めし、板紙の片面のホットメルト接着剤を溶かして貼付けて表紙を作成する表紙作成工程と、二つ折りした見返し用紙を本身の両側の外面に折り部を本身の背面側に合わせて重ね、その背面にホットメルト接着剤を塗付けて、その背面をくるむ裏打ち紙を貼付ける本身成形工程と、前記本身成形工程で成形した本身に前記表紙作成工程で作成した表紙を合わせてイチョウ付けし、そのあと前記見返し用紙の外側の片面を前記表面および裏面の板紙に、前記表面および裏面の板紙のホットメルト接着剤を溶かして貼付ける表紙貼付け工程からなることを最も主要な特徴とする。
【発明の効果】
【０００６】
本発明では、板紙や裏打ち紙の糊付けを必要とする箇所に予めホットメルト接着剤を塗着したものを用いるので、これらを貼付けに際し加熱するだけでたり、表紙用紙片の板紙の貼付けや見返しの貼付けなどの各工程における糊付け作業を大幅に低減することができ、また、これらを貼付ける際に要する多くの糊を準備する必要がなくなり、その準備や使用後の掃除に要する時間も大幅に短縮することができる。さらに、ホットメルト接着剤は加熱前の接着力は弱いので、表紙用紙片に対する各板紙の位置合わせ調整が容易かつ一度にでき、その調整作業に要する手間を大幅に低減することができる。
【発明を実施するための最良の形態】
【０００７】
表紙用紙片の板紙の貼付けや見返しの貼付けなどの各工程における糊付け作業および板紙を貼付ける際の板紙の位置あわせ調整作業を低減する目的を、予めホットメルト接着剤を塗着した板紙を用いることにより実現した。
【実施例１】
【０００８】
以下、本発明の実施例について図によって説明する。図１は実施例に係る表紙作成工程を示す流れ図、図２は実施例に係る本身成形工程を示す流れ図、図３は実施例に係る表紙貼付け工程を示す流れ図である。図において、１〜３はボール紙などの板紙、４はアート紙などの表紙用紙片、５は原稿などを束ねた本身、７は見返し用紙、８は寒冷紗代わりの裏打ち紙、９は花布付背貼り紙、１０は剥離紙、１１はフライス盤、１２は糊ローラ、１３はホットメルト接着剤である。
【０００９】
板紙１〜３は両面とも全面（板紙２については片面は天地側の端面でよい。）にホットメルト接着剤が塗着され、板紙１は本身の表面に、板紙２は本身の背面に、板紙３は本身の裏面にそれぞれあてがう板紙とする。板紙１と３は天地方向の長さが、本身の天地方向の長さよりも６ｍｍ長く、小口方向の長さが、本身の小口方向の長さよりも３ｍｍ長く形成されており、板紙２は天地方向の長さが、本身の天地方向の長さよりも６ｍｍ長く、厚み方向は本身の厚み方向よりも３ｍｍ長く形成されている。表紙用紙片４は天地方向の長さが、本身の天地方向の長さよりも３４ｍｍ長く、小口方向の長さが、本身の２倍に厚みに加えて４３ｍｍ長く形成され、四隅とも４５度で２３ｍｍ切り落とされている。なお、実施例で示す数値は適宜に設定するものである。
【００１０】
このような板紙１〜３と表紙用紙片４を準備した後、表紙作成工程では、板紙１〜３を図１（ａ）に示すように各板紙１、２、３を治具上に並べて配置し、その上に表紙用紙片４をのせ、板紙１〜３の位置を微調整する。板紙１〜３の上に載せた表紙用紙片４の上から加熱プレスし、板紙１〜３と表紙用紙片４を貼付ける。その後、図１（ｂ）に示すように表紙用紙片４の四辺を折り返し加熱棒で図１（ｃ）に示すように貼付ける。
【００１１】
一方、図２に示す本身成形工程では、二つ折りした用紙の片側片面に、折り側幅５ｍｍを残しその全面に粘着剤を塗着し、その上面に剥離紙１０を貼付けた見返し用紙７と、片面の所定位置または全面にホットメルト接着剤を塗着した、天地方向が本身の長さで幅７０ｍｍの寒冷紗代わりの裏打ち紙８と、幅を本身の厚みとした２枚の花布付背貼り紙９を用意し、図２（ａ）に示すように背面をフライス盤１１で揃えた本身５を準備する。
【００１２】
そして、図２（ｂ）に示すように本身５の両側の外面に折り部を本身の背面に合わせ、剥離紙１０を貼付けた面を外側にして見返し用紙７を重ね、重ねた見返し用紙７の背面とともに本身５の背面部を、その背面に、図２（ｃ）に示すようにローラ１２の表面に付着させた溶かしたホットメルト接着剤１３を塗付ける。つづいて接着剤１３を塗付けた背面に、図２（ｄ）に示すように予め図示しないニッパ部にホットメルト接着剤を塗着した面を下にしてセットした裏打ち紙８を見返し用紙７の背面とともに本身５の背面部を包んで貼付ける。その後、図２（ｅ）に示すように天地・小口の三方を切り揃え、切り揃えた本身の背面（裏打ち紙８の背面）に、図２（ｆ）に示すように花布付背貼り紙９を裏打ち紙８のホットメルト接着剤を溶かし、または塗りつけて貼付ける。
【００１３】
図３に示す表紙貼付け工程では、上記本身成形工程で成形した本身を、図３（ａ）に示すように前記表紙作成工程で作成した表紙で包み合わせ、図示しないニッパで、図３（ｂ）に示すようにイチョウ溝（背面側の近辺を天地にまたがって圧着した溝）１４を形成する。その後、図３（ｃ）に示すように見返し用紙７に付いている剥離紙１０を剥離して、粘着剤が付いている見返し用紙７の片面を、表面の板紙１および裏面の板紙３に仮付けする。そして表紙を閉じ、加熱プレスして板紙１および板紙３のホットメルト接着剤を溶かして貼付ける。同時に裏打ち紙８の端部を板紙１および板紙３に貼付ける。
【００１４】
以上のように、本発明に係る製本方法によれば、簡素な製本システム機器により、迅速簡単に上製本を行うことができる。
【図面の簡単な説明】
【００１５】
【図１】本発明の実施例に係る表紙作成工程を示す流れ図である。
【図２】本発明の実施例に係る本身成形工程を示す流れ図である。
【図３】本発明の実施例に係る表紙貼付け工程を示す流れ図である。
【符号の説明】
【００１６】
１〜３  板紙
４  表紙用紙片
５  本身
７  見返し用紙
８  裏打ち紙
９  花布付背貼り紙
１０  剥離紙
１４  イチョウ溝
【図１】
2005096098.tif 000003
【図２】
2005096098.tif 000004
【図３】
2005096098.tif 000005